(57)【特許請求の範囲】
【請求項１】
上枠と下枠と左右の縦枠とにより枠組みした枠体の中に外障子と内障子とを納めたスライディングサッシにおいて、
前記下枠は、その長手方向に延びる中空部を有し、その中空部内に前記外障子側の中空部と前記内障子側の中空部とを分断する堰止めブロックを設け、
前記中空部を形成する前記下枠の上側面には、機能部材の位置決め突起が嵌入する位置決め孔が形成されており、当該位置決め孔に嵌入した前記機能部材の位置決め突起によって前記堰止めブロックが前記下枠の中空部内に固定されることを特徴とするスライディングサッシ。
【発明の詳細な説明】
【技術分野】
【０００１】
本発明は、上枠と下枠と左右の縦枠とにより枠組みした枠体の中に外障子と内障子とを納めた引違いサッシ、片引きサッシ等のスライディングサッシに関し、特に下枠の構造に関する。
【背景技術】
【０００２】
引違いサッシの下枠の構造として、例えば、下枠の中空部内に雨水を排出し、下枠両側等の排水口より屋外側に排水する構造が提案されている（例えば、特許文献１参照。）。この引違いサッシの下枠では、外観左の内障子側に当たった水は、中空部に入れるのではなく、そのまま枠外に排水する構造が基本であり、水密性や気密性が比較的簡単に確保できる。
【先行技術文献】
【特許文献】
【０００３】
【特許文献１】特開２０００−１７９６５号公報
【発明の概要】
【発明が解決しようとする課題】
【０００４】
しかし、上記の背景技術では、下枠の中空部は連通しており、また下枠の中空部に設けた内障子（外観左）側の排水口は屋外側に設けられているため、下枠の中空部の内障子（外観左）側に浸入して貯まった雨水や空気が風圧等によって外障子（外観右）側に流され、外障子（外観右）側の中空部を介し屋内に侵入する場合があり、水密性や気密性が低減するという問題があった。
【０００５】
また、下枠の中空部が内障子（外観左）側と外障子（外観右）側とで連通しており、中空部を通して空気が移動可能であるため、断熱性が低下するという問題もあった。
【０００６】
そこで、本発明はこのような問題点に着目してなされたもので、下枠の中空部における内障子（外観左）側に浸入して貯まった雨水や空気が外障子（外観右）側、あるいはその逆方向に流れないようにして、水密性や気密性、さらには断熱性を向上させることができるスライディングサッシを提供することを目的とする。
【課題を解決するための手段】
【０００７】
前記課題を解決するため、本発明に係るスライディングサッシは、上枠と下枠と左右の縦枠とにより枠組みした枠体の中に外障子と内障子とを納めたスライディングサッシにおいて、前記下枠は、その長手方向に延びる中空部を有し、その中空部内に前記外障子側の中空部と前記内障子側の中空部とを分断する堰止めブロックを設けたことを特徴とする。
ここで、前記中空部を形成する前記下枠の上側面には、機能部材の位置決め突起が嵌入する位置決め孔が形成されており、当該位置決め孔に嵌入した前記機能部材の位置決め突起によって前記堰止めブロックが前記下枠の中空部内に固定されるように構成すると良い。
【発明の効果】
【０００８】
本発明に係るスライディングサッシでは、下枠の中空部内に外障子側の中空部と内障子側の中空部とを分断する堰止めブロックを設けたため、下枠の中空部における内障子（外観左）側に浸入して貯まった雨水や空気が外障子（外観右）側、あるいはその逆方向（外障子側の水が内障子側に）に流れなくなり、水密性や気密性、さらには断熱性を向上させることができる。
【図面の簡単な説明】
【０００９】
【図１】本発明に係る実施形態の引違いサッシの外観を示す正面図である。
【図２】本発明に係る実施形態の引違いサッシの下枠側の断面構造を示す拡大断面図である。
【図３】本発明に係る実施形態の引違いサッシの下枠の外障子側の一部を切欠した部分切欠正面図である。
【図４】本発明に係る実施形態の引違いサッシの下枠の内障子側の一部を切欠した部分切欠正面図である。
【図５】本発明に係る実施形態の引違いサッシの下枠の中央に嵌めた堰止めブロック近傍を切欠して拡大して示す部分切欠正面図である。
【図６】本発明に係る実施形態の引違いサッシの下枠の全体における一部を切欠した部分切欠平面図である。
【図７】本発明に係る実施形態の引違いサッシの下枠の中央に嵌めた堰止めブロック近傍を切欠して拡大して示す部分切欠平面図である。
【図８】図７におけるＡ−Ａ線断面図である。
【図９】（ａ）〜（ｃ）それぞれ本発明に係る実施形態の引違いサッシの下枠の中空部に嵌める堰止めブロックの平面図、正面図、右側面図である。
【図１０】（ａ），（ｂ）それぞれ図８（ｃ）におけるＢ−Ｂ線断面図、本発明に係る実施形態の引違いサッシの下枠の中空部に嵌める堰止めブロックの斜視図である。
【図１１】本発明に係る実施形態の引違いサッシの下枠の内障子側における雨水の経路を示す平面図である。
【図１２】本発明に係る実施形態の引違いサッシの下枠の内障子側における雨水の経路を示す断面図である。
【図１３】本発明に係る実施形態の引違いサッシの下枠の外障子側における雨水の経路を示す平面図である。
【図１４】本発明に係る実施形態の引違いサッシの下枠の外障子側における雨水の経路を示す断面図である。
【図１５】本発明に係る実施形態の引違いサッシの下枠の内障子側における外気の浸入経路および排出経路を示す平面図である。
【発明を実施するための形態】
【００１０】
以下、本発明に係るスライディングサッシの実施形態として、引違いサッシを一例に図面を参照して説明する。尚、以下に説明する実施の形態はあくまで本発明の一例であり、本発明が下記に説明する実施の形態に限定されるものではなく、本発明の技術的思想の範囲内で適宜変更可能である。
【００１１】
（実施形態の引違いサッシ１の全体構造）
本発明に係る実施形態の引違いサッシ１は、例えば、図１に示すように、上枠２、下枠３および左右の縦枠４，５により四周枠組みした枠体の中に外障子６と内障子７を引違いに納めたもので、閉塞時には図１に示すように外観（屋外側）から見て右側に外障子６、左側に内障子７が位置するように構成されている。
【００１２】
外障子６および内障子７は、それぞれ、上框６１，７１と、戸先框６２，７２と、召合框６３，７３と、下框６４，７４との間に、ここでは、二重ガラス６５ａ，６５ｂ，７５ａ，７５ｂを嵌めて構成されている。尚、外障子６および内障子７は、一枚ガラスでも、三重ガラス以上でも勿論良い。
【００１３】
外障子６の二重ガラス６５ａ，６５ｂの間には、図２に示すように、スペーサー６６が設けられ、その下端部には断面コ字状のグレージングチャンネル６７が設けられ、同様に、内障子７の二重ガラス７５ａ，７５ｂの間には、スペーサー７６が設けられて、その下端部には断面コ字状のグレージングチャンネル７７が設けられている。
【００１４】
外障子６および内障子７の下框６４，７４の上部には、図２に示すように、それぞれ、二重ガラス６５ａ，６５ｂ，７５ａ，７５ｂ下端部のグレージングチャンネル６７，７７が収容される断面コ字状のガラス収容溝部６８，７８が設けられている一方、ガラス収容溝部６８，７８の下側には、下枠３の下枠外レール３ａおよび下枠内レール３ｂ上をそれぞれ走行する戸車８０ａ，８０ｂが収容される断面逆コ字状の戸車収容溝部６９，７９が設けられている
【００１５】
尚、外障子６および内障子７の上框６１，７１の上部には、図示しないが、それぞれ、上枠２の図示しない上枠外レールおよび上枠内レールを案内するためのレール案内溝部が設けられている一方、上框６１，７１の下部には、それぞれ、二重ガラス６５ａ，６５ｂ，７５ａ，７５ｂの上端部のガラス受け部が収容されるガラス収容溝部が設けられているが、本発明とは関係しないので説明や図示を省略する。
【００１６】
（下枠３の構造）
下枠３は、図２〜図８に示すように、下枠外レール３ａおよび下枠内レール３ｂを有すると共に、屋外側に上側面３ｄ１と、前側面３ｄ２と、下枠外レール３ａの下半分および後側面３ｄ３と、下側面３ｄ４とで囲まれた断面略４角形ないしは４角形を２つ組み合わせたような形状の中空部３ｃを有する。
【００１７】
そして、本発明に係る実施形態の引違いサッシ１では、この下枠３の中空部３ｃ内の略中央、すなわち外障子６および内障子７の召合框６３，７３が重なる位置に、外障子６側の中空部３ｃと内障子７側の中空部３ｃとを分断する堰止めブロック３ｅを設けている。
【００１８】
堰止めブロック３ｅは、合成樹脂等やゴム等から成型されたブロックで、図９および図１０に示すような形状であり、図８に示すように下枠３の中空部３ｃ内の略中央に略密閉状態で嵌合するため、下枠３の中空部３ｃの断面形状に形成されている。
【００１９】
堰止めブロック３ｅには、図９および図１０に示すように虫除け部材３ｇの位置決め突起３ｇ１が嵌入する位置決め孔３ｅ１が形成されており、その位置決め孔３ｅ１に嵌入した機能部材である虫除け部材３ｇの位置決め突起３ｇ１によって下枠３の中空部３ｃ内に固定される。
【００２０】
ここで、本実施形態における下枠３の中空部３ｃ内への堰止めブロック３ｅの挿入は、中空部３ｃの左右両側の開口部から挿入して略中央まで移動させて固定する。
【００２１】
尚、図１〜図８において、３ｆは、中空部３ｃ内の雨水を屋外へ排出するための排水口であり、排水弁（図示せず。）等が内蔵されている。また、３ｇは、下枠３の上側面３ｄ１をその長手方向、すなわち外障子６側から内障子７側あるいはその逆方向に這う虫等をブロックする機能を有する虫除け部材である。
【００２２】
また、３ｈは、外障子６側の下枠外レール３ａと下枠内レール３ｂとの間の凹みを埋める外障子側レール間部材、３ｈ１は外障子側レール間部材３ｈに設けられた水抜き孔、３ｈ２は外障子側レール間部材３ｈが中空部３ｃを構成する後側面３ｄ３の上端部に接地する脚部、３ｉは、下枠内レール３ｂと窓枠（図示せず。）等との間の凹みを埋める第２レール間部材である。また、３ｊ，３ｊは、下枠３を構成する下枠外レール３ａ側の部材と下枠内レール３ｂ側の部材とを連結する上下一対の中継樹脂部材、３ｋ（図３等参照。）は、下枠内レール３ｂを走行する内障子７の召合框７３に設けたクレセント錠（図示せず。）が外観右側の縦枠４に当接しないようにブロックする下部内障子ストッパーである。
【００２３】
また、３ｍ（図４等参照。）は、下枠外レール３ａを走行する外障子６が外観左側の縦枠５に当接しないようにブロックする下部外障子ストッパー、３ｎは下框３の長手方向のほぼ中央の位置に設けられ、外障子６および内障子７が閉塞した際、屋外側と屋内側の気密性と水密性を確保する下部風止め板、３ｐは、内障子７側の下枠外レール３ａと下枠内レール３ｂとの間の凹みを埋める内障子側レール間部材、３ｐ１は内障子側レール間部材３ｐに設けた水抜き孔である。
【００２４】
（下枠３における雨水および外気の経路）
次に、以上のように構成された実施形態の引違いサッシ１における雨水および外気の経路について内障子７側と外障子６側とに分けて説明する。
【００２５】
（下枠３の内障子７側における雨水の浸入経路および排水経路）
図１１は、本発明に係る実施形態の引違いサッシ１の下枠３の内障子７側における雨水の経路を示す平面図、図１２はその断面図である。
【００２６】
図１１および図１２において、実線で示すＷ１は、下枠３の内障子７側に吹付けられた雨水の経路を示している。
【００２７】
図１１および図１２に実線で示す雨水の経路Ｗ１のように、屋外から風等により下枠３の内障子７の内障子側レール間部材３ｐに吹き付けられた雨水は、下枠内レール３ｂに当たって内障子側レール間部材３ｐの長手方向に流れたり、下枠内レール３ｂの上端部と内障子７の下框７４等の隙間を通って第２レール間部材３ｉまで侵入する。尚、下枠３の内障子７に直接当たり、内障子側レール間部材３ｐに貯まった雨水も同様である。
【００２８】
内障子側レール間部材３ｐの長手方向に流れた雨水は、中空部３ｃを形成する前側面３ｄ２へ排出する水抜き孔３ｐ１、および下枠外レール３ａの水抜き孔３ａ１を介して排水口３ｆから排水される。
【００２９】
その際、下枠３の中空部３ｃには、図１１および図１２に示すように、外障子６側と内障子７側とを略密閉状態に分断する堰止めブロック３ｅが設けられているため、下枠３の中空部３ｃ内の外観左の内障子７側に貯まった雨水は、外観右の外障子６側に流れない。
【００３０】
また、下枠内レール３ｂの上端部と内障子７の下框７４等の隙間を通って第２レール間部材３ｉまで侵入した雨水は、第２レール間部材３ｉの排出孔３ｉ１から第２レール間部材３ｉの連絡通路３ｉ２（図１２参照。）を通して外障子６の方向へ逃がす。
【００３１】
（下枠３の外障子６側における雨水の浸入経路および排水経路）
図１３は、本発明に係る実施形態の引違いサッシ１の下枠３の外障子６側における雨水の経路を示す平面図、図１４はその断面図である。
【００３２】
図１３および図１４に破線で示す雨水の経路Ｗ２のように、風等により下枠３の外障子６側の下枠外レール３ａに吹き付けられた雨水は、下枠外レール３ａの上端部と外障子６の下框６７等の隙間を通って外障子側レール間部材３ｈまで進入する。そして、外障子６側の下枠内レール３ｂに当たって外障子側レール間部材３ｈの長手方向に流れたり、下枠内レール３ｂの上端部を通って、外障子６側の第２レール間部材３ｉまで侵入する場合もある。尚、下枠３の外障子６に直接当たり、下枠３の上側面３ｄ１に貯まった雨水は、網戸レール端部の図示しない切り欠きから、下枠３の外に排水される。
【００３３】
外障子側レール間部材３ｈの長手方向に流れた雨水は、中空部３ｃを形成する前側面３ｄ２へ排出する水抜き孔３ｈ１、下部内障子ストッパー３ｋに設けられたスリット状の水抜き孔、および下枠外レール３ａの水抜き孔３ａ１を介して排水口３ｆから排水する。
【００３４】
また、下枠内レール３ｂの上端部を通って第２レール間部材３ｉまで侵入した雨水は、排出孔３ｉ１から第２レール間部材３ｉの連絡通路３ｉ２を通って下枠内レール３ｂの水抜き孔３ｂ１から下枠外レール３ａと下枠内レール３ｂとを連結する上側の中継樹脂部材３ｊの上面に逃し、下枠外レール３ａの水抜き孔３ａ１を介して排水口３ｆから排水する。尚、外障子側レール間部材３ｈが中空部３ｃを構成する後側面３ｄ３の上端部に接地している脚部３ｈ２は、水抜き孔３ｈ１と長手方向にずらした位置に図示しない切り欠きが設けられており、中継樹脂部材３ｊ上面の水を水抜き孔３ａ１に流れ易くしている。
【００３５】
また、図１１および図１２でも説明したように、下枠内レール３ｂの上端部と内障子７の下框７４等の隙間を通って第２レール間部材３ｉまで侵入した実線の経路Ｗ１の雨水は、排出孔３ｉ１から第２レール間部材３ｉの連絡通路３ｉ２を通って外障子６の方向へ流れてくる。
【００３６】
そのため、内障子７側から第２レール間部材３ｉの連絡通路３ｉ２を通って外障子６の方向へ流れてきた実線の経路Ｗ１の雨水は、外障子６側の外障子側レール間部材３ｈから下枠内レール３ｂの上端部を通って、外障子６側の第２レール間部材３ｉまで侵入した破線の経路Ｗ２の雨水と同様に、排出孔３ｉ１から第２レール間部材３ｉの連絡通路３ｉ２（図１４参照。）を通って下枠内レール３ｂの水抜き孔３ｂ１から下枠外レール３ａと下枠内レール３ｂとを連結する上側の中継樹脂部材３ｊの上面に逃し、下枠外レール３ａの水抜き孔３ａ１を介して排水口３ｆから排水される。
【００３７】
その際、下枠３の中空部３ｃには、図１３および図１４に示すように、外障子６側と内障子７側とを略密閉状態に分断する堰止めブロック３ｅが設けられているため、下枠３の中空部３ｃ内の外観右の外障子６側に貯まった雨水は、外観左の内障子７側に流れず、その逆方向にも流れることもなくなる。
【００３８】
その結果、本実施形態の引違いサッシ１によれば、屋外から下枠３の外障子６側および内障子７側へ吹き付けた雨水は、屋内へ浸入せずに屋外へ排出できると共に、下枠３の外障子６側の中空部３ｃと内障子７側の中空部３ｃとを略密閉状態に分断する堰止めブロック３ｅにより、外障子６側の中空部３ｃと内障子７側の中空部３ｃとに貯まった雨水も遮断されるので、水密性能を向上させることができる。
【００３９】
（下枠３の内障子７側における外気の浸入経路および排出経路）
図１５は、本発明に係る実施形態の引違いサッシ１の下枠３の内障子７側における外気の浸入経路および排出経路を示す平面図である。
【００４０】
図１５において実線で示す外気の経路Ａのように、屋外から内障子７の下側に吹き付けられた外気は、内障子７の下框７４や外側のガラス７５ａ下端部に当たって内障子側レール間部材３ｐの長手方向に逃げる。
【００４１】
内障子側レール間部材３ｐの長手方向に逃げた外気は、図１１や図１２に示す雨水の場合と同様に、中空部３ｃの水抜き孔３ｐ１、および下枠外レール３ａの水抜き孔３ａ１を介して下枠３の中空部３ｃに侵入する。
【００４２】
その際、下枠３の中空部３ｃには、図１５に示すように、外障子６側と内障子７側とを略密閉状態に分断する堰止めブロック３ｅが設けられているため、下枠３の中空部３ｃ内の外観左の内障子７側に入った空気も、外観右の外障子６側に流れず、その逆方向へも流れない。その結果、下枠３の内障子７側の中空部３ｃに入った空気が外障子６側の中空部３ｃを介し屋内に侵入したり、その逆方向に流れることがなくなり、気密性を確保できると共に、断熱性も向上する。
【００４３】
また、下枠３の内障子７側の中空部３ｃに入った空気が外障子６側の中空部３ｃを介し屋内に侵入せず、気密性が確保されるということは、その空気中に含まれる微小な雨水や湿度の高い空気が外障子６側の中空部３ｃを介し屋内に侵入しないということになるので、この点でも水密性能等を向上させることになる。
【００４４】
従って、本実施形態の引違いサッシ１によれば、下枠３の中空部３ｃには、外障子６側の中空部３ｃと内障子７側の中空部３ｃとを分断する堰止めブロック３ｅを設けたため、下枠３の中空部３ｃ内の外観左の内障子７側に入った空気や水が外観右の外障子６側に、或いはその逆方向へ流れなくなり、水密性や気密性を向上させることができる。
【００４５】
また、堰止めブロック３ｅによって外障子６側の中空部３ｃと内障子７側の中空部３ｃとが分断され、下枠３の内障子７側の中空部３ｃに入った空気が外障子６側の中空部３ｃを介し屋内へ侵入せず、その逆にも流れないため、水密性および気密性が向上するだけでなく、断熱性も向上させることができる。
【００４６】
また、本実施形態の引違いサッシ１では、中空部３ｃを形成する下枠３の上側面３ｄ１のほぼ中央には、虫除け部材３ｇの位置決め突起３ｇ１が嵌入する位置決め孔３ｅ１が形成されており、当該位置決め孔３ｅ１に嵌入した虫除け部材３ｇの位置決め突起３ｇ１によって堰止めブロック３ｅが下枠３の中空部３ｃ内に確実に固定されるため、この点でも、水密性や気密性、さらには断熱性を向上させることができる。
【００４７】
尚、上記実施形態の説明では、本発明に係るスライディングサッシの一例として引違いサッシ１により説明したが、本発明ではこれに限らず、片引きサッシ等のスライディングサッシに適用するようにしても勿論良い。
【００４８】
また、上記実施形態の説明では、機能部材として虫除け部材３ｇを一例に説明したが、本発明では、これに限らず、下枠３の水密部品等、下枠３に取り付ける他の機能部材でも良い。
【符号の説明】
【００４９】
１  引違いサッシ（スライディングサッシ）
２  上枠
３  下枠
３ａ  下枠外レール
３ａ１  水抜き孔
３ｂ  下枠内レール
３ｂ１  水抜き孔
３ｃ  中空部
３ｄ１  上側面
３ｄ２  前側面
３ｄ３  後側面
３ｄ４  下側面
３ｅ  堰止めブロック
３ｅ１  位置決め孔
３ｆ  排水口
３ｇ  虫除け部材（機能部材）
３ｇ１  位置決め突起
３ｈ  外障子側レール間部材
３ｈ１  水抜き孔
３ｈ２  脚部
３ｉ  第２レール間部材
３ｉ１  排出孔
３ｉ２  連絡通路
３ｊ，３ｊ  中継樹脂部材
３ｋ  下部内障子ストッパー
３ｍ  下部外障子ストッパー
３ｎ  下部風止め板
３ｐ  内障子側レール間部材
３ｐ１  水抜き孔
４，５  縦枠
６  外障子
６１  上框
６２  戸先框
６３  召合框
６４  下框
６５ａ，６５ｂ  ガラス
６７  グレージングチャンネル
６８  ガラス収容溝部
６９  戸車収容溝部
７  内障子
７１  上框
７２  戸先框
７３  召合框
７４  下框
７５ａ，７５ｂ  ガラス
７７  グレージングチャンネル
７８  ガラス収容溝部
７９  戸車収容溝部
【図１】
0006711658.tif 000002
【図２】
0006711658.tif 000003
【図３】
0006711658.tif 000004
【図４】
0006711658.tif 000005
【図５】
0006711658.tif 000006
【図６】
0006711658.tif 000007
【図７】
0006711658.tif 000008
【図８】
0006711658.tif 000009
【図９】
0006711658.tif 000010
【図１０】
0006711658.tif 000011
【図１１】
0006711658.tif 000012
【図１２】
0006711658.tif 000013
【図１３】
0006711658.tif 000014
【図１４】
0006711658.tif 000015
【図１５】
0006711658.tif 000016